【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
記録を行う記録ヘッドを備えた記録ユニットと、
前記記録ユニットの上部に設けられ、回動することにより前記記録ユニット上部を開閉
可能なスキャナーユニットと、を備え、
前記記録ユニットは、前記記録ヘッドの走査方向に移動可能なキャリッジと、底部から媒体を給送するために前記媒体を収容する媒体収容部と、を備え、
前記スキャナーユニットは、底面から突出する突状部を備え、
前記記録ヘッド及び前記読み取りユニットの走査方向と交差する方向である前記記録ユ
ニット及び前記スキャナーユニットの奥行き方向において、ユニット手前側から奥方に向
かって前記キャリッジ、前記突状部、前記スキャナーユニットの回動軸、の順に配置され
ており、
前記奥行き方向において前記突状部は、前記スキャナーユニットの中央位置より前記回
動軸の側に配置されている、
ことを特徴とする記録装置。
【請求項２】
記録を行う記録ヘッドを備えた記録ユニットと、
前記記録ユニットの上部に設けられ、回動することにより前記記録ユニット上部を開閉
可能なスキャナーユニットと、
前記記録ユニットは、前記記録ヘッドの走査方向に移動可能なキャリッジと、奥行方向において後部に、媒体を反転させる反転ローラーを備え、
前記スキャナーユニットは、底面から突出する突状部を備え、
前記記録ヘッド及び前記読み取りユニットの走査方向と交差する方向である前記記録ユ
ニット及び前記スキャナーユニットの奥行き方向において、ユニット手前側から奥方に向
かって前記キャリッジ、前記突状部、前記スキャナーユニットの回動軸、の順に配置され
ており、
前記奥行き方向において前記突状部は、前記スキャナーユニットの中央位置より前記回
動軸の側に配置されている、ことを特徴とする記録装置。
【請求項３】
記録を行う記録ヘッドを備えた記録ユニットと、
前記記録ユニットの上部に設けられ、回動することにより前記記録ユニット上部を開閉
可能なスキャナーユニットと、
前記記録ユニットは、前記記録ヘッドの走査方向に移動可能なキャリッジと、奥行方向において後部に、媒体を反転させる湾曲部を有する反転経路と、を備え、
前記スキャナーユニットは、底面から突出する突状部を備え、
前記記録ヘッド及び前記読み取りユニットの走査方向と交差する方向である前記記録ユ
ニット及び前記スキャナーユニットの奥行き方向において、ユニット手前側から奥方に向
かって前記突状部と前記湾曲部は位置をずらして配置される、ことを特徴とする記録装置。
【請求項４】
記録を行う記録ヘッドを備えた記録ユニットと、
前記記録ユニットの上部に設けられ、回動することにより前記記録ユニット上部を開閉
可能なスキャナーユニットと、を備え、
前記記録ユニットは、前記記録ヘッドの走査方向に移動可能なキャリッジと、底部から媒体を給送するために前記媒体を収容する媒体収容部と、奥行方向において後部から媒体を給送する給紙トレイと、を備え、
前記スキャナーユニットは、底面から突出する突状部を備え、
前記記録ヘッド及び前記読み取りユニットの走査方向と交差する方向である前記記録ユ
ニット及び前記スキャナーユニットの奥行き方向において、
前記奥行き方向において前記突状部は、前記キャリッジと前記給紙トレイの間
に配置されている、
ことを特徴とする記録装置。
【請求項５】
請求項３に記載の記録装置において、前記突状部は、前記キャリッジと前記湾曲部の間に形成されることを特徴とする記録装置。
【請求項６】
請求項１から請求項５のいずれか一項に記載の記録装置において、前記キャリッジと前記突状部とは、前記記録ユニット及び前記スキャナーユニットの高さ方向においてオーバーラップしている、ことを特徴とする記録装置。
【請求項７】
請求項３または請求項５に記載の記録装置において、前記湾曲部と前記突状部とは、前記記録ユニット及び前記スキャナーユニットの高さ方向においてオーバーラップしている、
ことを特徴とする記録装置。
【請求項８】
請求項１から請求項４のいずれか一項に記載の記録装置において、前記記録ユニットは、前記奥行き方向においてユニット後部に、媒体を反転させる反転ローラーを備え、
前記突状部と前記反転ローラーは、前記奥行き方向において位置をずらして配置されて
いる、ことを特徴とする記録装置。
【請求項９】
請求項１から請求項８いずれか一項に記載の記録装置において、前記記録ユニットは、前記奥行き方向においてユニット後部に、媒体を反転させる反転ユニットを着脱自在に備え、
前記突状部は、前記反転ユニットの一部と高さ方向においてオーバーラップしているこ
とを特徴とする記録装置。
【請求項１０】
請求項１から請求項９のいずれか一項に記載の記録装置において、前記突状部の一部に前記読み取りユニットを駆動するスキャナーモーター部が形成され、
前記スキャナーモーター部は、前記スキャナーユニットが閉じた状態において前記記録
ユニット上部の凹部に配置される、
ことを特徴とする記録装置。
【手続補正２】
【補正対象書類名】明細書
【補正対象項目名】０００７
【補正方法】変更
【補正の内容】
【０００７】
上記課題を解決する為の、本発明の第１の態様に係る記録装置は、記録を行う記録ヘッドを備えた記録ユニットと、前記記録ユニットの上部に設けられ、回動することにより前記記録ユニット上部を開閉可能なスキャナーユニットと、を備え、前記記録ユニットは、前記記録ヘッドの走査方向に移動可能なキャリッジと、底部から媒体を給送するために前記媒体を収容する媒体収容部と、を備え、前記スキャナーユニットは、底面から突出する突状部を備え、前記記録ヘッド及び前記読み取りユニットの走査方向と交差する方向である前記記録ユニット及び前記スキャナーユニットの奥行き方向において、ユニット手前側から奥方に向かって前記キャリッジ、前記突状部、前記スキャナーユニットの回動軸、の順に配置されており、前記奥行き方向において前記突状部は、前記スキャナーユニットの中央位置より前記回動軸の側に配置されていることを特徴とする。
本発明の第２の態様に係る記録装置は、記録を行う記録ヘッドを備えた記録ユニットと、前記記録ユニットの上部に設けられ、回動することにより前記記録ユニット上部を開閉
可能なスキャナーユニットと、前記記録ユニットは、前記記録ヘッドの走査方向に移動可能なキャリッジと、奥行方向において後部に、媒体を反転させる反転ローラーを備え、前記スキャナーユニットは、底面から突出する突状部を備え、前記記録ヘッド及び前記読み取りユニットの走査方向と交差する方向である前記記録ユニット及び前記スキャナーユニットの奥行き方向において、ユニット手前側から奥方に向かって前記キャリッジ、前記突状部、前記スキャナーユニットの回動軸、の順に配置されており、前記奥行き方向において前記突状部は、前記スキャナーユニットの中央位置より前記回動軸の側に配置されていることを特徴とする。
【手続補正３】
【補正対象書類名】明細書
【補正対象項目名】００１１
【補正方法】変更
【補正の内容】
【００１１】
本発明の第３の態様は、  記録を行う記録ヘッドを備えた記録ユニットと、前記記録ユニットの上部に設けられ、回動することにより前記記録ユニット上部を開閉可能なスキャナーユニットと、前記記録ユニットは、前記記録ヘッドの走査方向に移動可能なキャリッジと、奥行方向において後部に、媒体を反転させる湾曲部を有する反転経路と、を備え、前記スキャナーユニットは、底面から突出する突状部を備え、前記記録ヘッド及び前記読み取りユニットの走査方向と交差する方向である前記記録ユニット及び前記スキャナーユニットの奥行き方向において、ユニット手前側から奥方に向かって前記突状部と前記湾曲部は位置をずらして配置される、ことを特徴とする。
本発明の第４の態様は、  記録を行う記録ヘッドを備えた記録ユニットと、前記記録ユニットの上部に設けられ、回動することにより前記記録ユニット上部を開閉可能なスキャナーユニットと、を備え、前記記録ユニットは、前記記録ヘッドの走査方向に移動可能なキャリッジと、底部から媒体を給送するために前記媒体を収容する媒体収容部と、奥行方向において後部から媒体を給送する給紙トレイと、を備え、前記スキャナーユニットは、底面から突出する突状部を備え、前記記録ヘッド及び前記読み取りユニットの走査方向と交差する方向である前記記録ユニット及び前記スキャナーユニットの奥行き方向において、前記奥行き方向において前記突状部は、前記キャリッジと前記給紙トレイの間に配置されている、ことを特徴とする。
【手続補正４】
【補正対象書類名】明細書
【補正対象項目名】００１２
【補正方法】変更
【補正の内容】
【００１２】
本態様によれば、前記突状部と前記湾曲部は位置をずらして配置される。また、前記突状部は、前記キャリッジと前記給紙トレイの間に配置されているので装置の低背化を図ることができる。
【手続補正５】
【補正対象書類名】明細書
【補正対象項目名】００１３
【補正方法】変更
【補正の内容】
【００１３】
本発明の第５の態様は、前記突状部は、前記キャリッジと前記湾曲部の間に形成されることを特徴とする。
【手続補正６】
【補正対象書類名】明細書
【補正対象項目名】００１４
【補正方法】変更
【補正の内容】
【００１４】
本態様によれば、前記突状部は、前記キャリッジと前記湾曲部の間に形成されるので装置の低背化を図ることができる。
【手続補正７】
【補正対象書類名】明細書
【補正対象項目名】００１５
【補正方法】変更
【補正の内容】
【００１５】
本発明の第６の態様は、前記キャリッジと前記突状部とは、前記記録ユニット及び前記スキャナーユニットの高さ方向においてオーバーラップしている、ことを特徴とする。
本発明の第７の態様は、前記湾曲部と前記突状部とは、前記記録ユニット及び前記スキャナーユニットの高さ方向においてオーバーラップしている、ことを特徴とする。
本発明の第８の態様は、前記記録ユニットは、前記奥行き方向においてユニット後部に、媒体を反転させる反転ローラーを備え、前記突状部と前記反転ローラーは、前記奥行き方向において位置をずらして配置されている、ことを特徴とする。
本発明の第９の態様は、前記記録ユニットは、前記奥行き方向においてユニット後部に、媒体を反転させる反転ユニットを着脱自在に備え、前記突状部は、前記反転ユニットの一部と高さ方向においてオーバーラップしていることを特徴とする。
【手続補正８】
【補正対象書類名】明細書
【補正対象項目名】００１６
【補正方法】変更
【補正の内容】
【００１６】
本態様によれば、キャリッジと突状部とが、ユニット高さ方向においてオーバーラップ
しているので、キャリッジと突状部とを重畳して配置する構成に比して装置の低背化を図
ることができる。また、前記湾曲部と前記突状部とは、前記記録ユニット及び前記スキャナーユニットの高さ方向においてオーバーラップしているので、装置の低背化をはかることができる。また、媒体を反転させる反転ローラーは、その性質上大径であることが多く、装置内での占有スペースを多く必要とする。そして本態様によれば、前記突状部と前記反転ローラーが、前記奥行き方向において位置をずらして配置されているので、前記突状部と前記反転ローラーとを重畳して配置する必要がなく、前記突状部と前記反転ローラーとを重畳して配置する構成に比して装置の低背化を図ることができる。さらに前記突状部は、前記反転ユニットの一部と高さ方向においてオーバーラップしているので、前記突状部と前記反転ユニットとを重畳して配置する構成に比して装置の低背化を図ることができる。
【手続補正９】
【補正対象書類名】明細書
【補正対象項目名】００１７
【補正方法】変更
【補正の内容】
【００１７】
本発明の第１０の態様は、前記突状部の一部に前記読み取りユニットを駆動するスキャナーモーター部が形成され、前記スキャナーモーター部は、
前記スキャナーユニットが閉じた状態において前記記録ユニット上部の凹部に配置される
ことを特徴とする。